(57)【要約】【課題】  携帯に便利で、簡単に組立られる携帯用ペット飲食容器を提供する。【解決手段】  携帯時には、ビニール製シート１０３をペットボトル１０１の胴部周囲に巻き付けて、ボタン１０９Ｂとボタン１０７Ａ、ボタン１１１Ａとボタン１０５Ｂとを接合する。ペットに水をあげる場合には、ボタン１０９Ｂとボタン１０７Ａ、ボタン１１１Ａとボタン１０５Ｂとを分離し、このビニール製シート１０３をペットボトル１０１の胴部周囲から外す。その後、対となるボタン１０５Ａと１０５Ｂ、ボタン１０７Ａと１０７Ｂ、ボタン１０９Ａと１０９Ｂ、ボタン１１１Ａと１１１Ｂをそれぞれ接合して四隅を立設させることで、皿１２０を作る。ペットボトル１０１の内部に収容された水をこの皿１２０に出すことで、ペットに水をあげることができる。【選択図】        図１
2006158259.tif 000002
【特許請求の範囲】
【請求項１】
ペットボトル等の容器の胴回りに巻回されるシートと、
該シートを前記ペットボトル等の容器に巻回した後に該巻回状態を保持するため該シートに配設された該シート同士を固着若しくは解除自在とする着脱手段とを備えた携帯用ペット飲食容器であって、
前記シートを前記ペットボトル等の容器から取り外し後、着脱手段の固着によりペットの飲食容器が作製されることを特徴とする携帯用ペット飲食容器。
【発明の詳細な説明】
【技術分野】
【０００１】
本発明は携帯用ペット飲食容器に係わり、特に携帯に便利で、簡単に組立られる携帯用ペット飲食容器に関する。
【背景技術】
【０００２】
従来、犬等のペットのための携帯用水分与飲み器として図７に示すものが知られている（特許文献１参照）。
この携帯用水分与飲み器１０は、ペットボトル形状の水容器１２の先端部に弁組立体１６が配設されており、この弁組立体１６はピン３４により軸支されている。そして、携帯時にはこのピン３４を中心に水容器１２が回動されて飲み皿１４内に収納されるようになっている。一方、ペットに対して水を与えるときには水容器１２を飲み皿１４から取り出して倒立させる。
【０００３】
弁組立体１６の先端には作動アーム３２が形成されており、この作動アーム３２が飲み皿１４内部から突設された停止部材５０に当接されると弁組立体１６が柔軟な材料からできているため歪む。このことにより、出口スリット３６が開かれ、水容器１２に収納された水が出てくるようになる。
【特許文献１】特表２００２−５１０４７０号公報
【発明の開示】
【発明が解決しようとする課題】
【０００４】
しかしながら、この携帯用水分与飲み器１０では、人が水容器１２を保持していないと倒れてしまい、せっかく供給された水が飲み皿１４よりこぼれてしまう。また、水容器１２に入れられた水はペット専用のものであり、人が飲むことはできない。
【０００５】
本発明はこのような従来の課題に鑑みてなされたもので、携帯に便利で、簡単に組立られる携帯用ペット飲食容器を提供することを目的とする。
【課題を解決するための手段】
【０００６】
このため本発明は、ペットボトル等の容器の胴回りに巻回されるシートと、該シートを前記ペットボトル等の容器に巻回した後に該巻回状態を保持するため該シートに配設された該シート同士を固着若しくは解除自在とする着脱手段とを備えた携帯用ペット飲食容器であって、前記シートを前記ペットボトル等の容器から取り外し後、着脱手段の固着によりペットの飲食容器が作製されることを特徴とする。
【０００７】
シートは柔軟性を有し、ペットボトル等の容器の胴回りに巻回自在である。このシートには着脱手段が配設されており、ペットボトル等の容器の胴回りに巻回後にシート同士を固着することで止められるようになっている。
【０００８】
ペットに対して飲食を提供しようとする際には、このシートをペットボトル等の容器から取り外し後、着脱手段の固着によりペットの飲食容器を作製する。
【０００９】
このことにより、ペットボトル等の容器を持ち運ぶような気持ちで同時にペットの飲食容器を持ち運ぶことができる。ペットの飲食容器の専用のスペースも不要であり、旅行等の際には便利である。
【００１０】
ペットの飲食容器はシート状態から簡単に作製できるので、外出時にペットに簡単に水をあげることができる。作製されたペットの飲食容器は、人が保持することなく地面等に載置することができる。また、ペットボトル等に入った飲料水は人が直接飲むこともできる。シートには、人が把持し易いように把持部を備えるようにしてもよい。着脱手段はシート同士を固着若しくは解除自在とする機能とペットの飲食容器を作製する機能の両方の機能を兼用するようにされてもよいが、それぞれ独立した機能を有するようにされてもよい。
【発明の効果】
【００１１】
以上説明したように本発明によれば、ペットボトル等の容器の胴回りにシートを巻回して持ち運び可能とし、このシートからペットの飲食容器を作製自在としたので、外出時にペットに簡単に水をあげることができる。ペットの飲食容器の専用のスペースも不要であり、旅行等の際には便利である。
【発明を実施するための最良の形態】
【００１２】
以下、本発明の実施形態について説明する。本発明の実施形態の全体側面図を図１に、正面図を図２に、斜視図を図３に示す。但し、図１と図３とはペットボトルが左右異なった向きに置かれたときの様子を示している。図１において、携帯用ペット飲食容器１００は、市販の飲料水の入ったペットボトル１０１と、この胴部周囲に巻かれてボタン止めされたビニール製シート１０３とから構成されている。
【００１３】
また、図４にこのビニール製シート１０３が展開されたときの底面図を、図５に側面図を示す。ビニール製シート１０３は長方形状であり、その長辺１０３ａはペットボトル１０１を一巻きしたときに所定の余裕がでる長さに調整されている。一方、短辺は１０３ｂは、ペットボトル１０１の胴部の高さと同程度の長さに調整されている。
【００１４】
ビニール製シート１０３の四隅には、それぞれ対となるボタン１０５Ａと１０５Ｂ、ボタン１０７Ａと１０７Ｂ、ボタン１０９Ａと１０９Ｂ、ボタン１１１Ａと１１１Ｂとが配設されている。ここに付記された「Ａ」符号はボタン底部に凹部を有するボタンであり、「Ｂ」符号はボタン底部に凸部を有するボタンである。
【００１５】
次に、本発明の実施形態の作用を説明する。
携帯時には、ビニール製シート１０３をペットボトル１０１の胴部周囲に巻き付けて、ボタン１０９Ｂとボタン１０７Ａ、ボタン１１１Ａとボタン１０５Ｂとを接合する。ビニール製シート１０３の長辺１０３ａはペットボトル１０１を一巻きしたときに所定の余裕がでる長さに調整されており、この余裕は、ボタン止めを可能とするための所要寸法である。このため、ビニール製シート１０３は、ペットボトル１０１に対し一巻きされた状態でペットボトル１０１の胴部周囲にほぼ密着して巻き付けられ、持ち運びされた場合でも脱落しない。
【００１６】
そして、ペットに水をあげる場合には、ボタン１０９Ｂとボタン１０７Ａ、ボタン１１１Ａとボタン１０５Ｂとを分離し、このビニール製シート１０３をペットボトル１０１の胴部周囲から外す。その後、対となるボタン１０５Ａと１０５Ｂ、ボタン１０７Ａと１０７Ｂ、ボタン１０９Ａと１０９Ｂ、ボタン１１１Ａと１１１Ｂをそれぞれ接合して四隅を立設させることで、図６に示すような皿１２０を作る。
【００１７】
ペットボトル１０１の内部に収容された水をこの皿１２０に出すことで、ペットに水をあげることができる。使用後には、再び、この皿１２０のボタン１０５Ａと１０５Ｂ、ボタン１０７Ａと１０７Ｂ、ボタン１０９Ａと１０９Ｂ、ボタン１１１Ａと１１１Ｂをそれぞれ分離し、ビニール製シート１０３を展開された状態に戻す。そして、このビニール製シート１０３をペットボトル１０１の胴部周囲に巻き付ける。
【００１８】
以上により、外出時にペットに簡単に水をあげることができる。この際には、ビニール製シート１０３から作製した皿１２０を、人が保持することなく地面等に載置することができる。また、このペットボトル１０１に入った飲料水は人が直接飲むこともできる。更に、ペットボトル１０１には水だけでなく、えさを入れても、おやつを入れてもよい。
【００１９】
なお、ビニール製シート１０３の四隅に携帯用ストラップを着脱可能な係止部材を配設するようにしてもよい。この際には、この携帯用ストラップをビニール製シート１０３に固着することで、肩からペットボトル１０１をつり下げることができる。
【００２０】
更に、本実施形態では、ビニール製シート１０３を止めるのにボタンを用いたが、マジックテープ（Ｒ）や永久磁石、クリップ等であってもよい。ビニール製シート１０３は、水を通さない布製、皮製等であってもよい。また、材質に保温材を使用するようにしてもよい。この場合には、ビニール製シート１０３をペットボトル１０１の胴部周囲に巻き付けることで、ペットボトル１０１の保温が可能となる。ビニール製シート１０３の形状は、必ずしも四角形状でなくてもよく、多角形等でもよい。
更に、本実施形態では、ビニール製シート１０３をペットボトル１０１の胴部周囲に巻き付け後に止めるボタンと皿１２０を作るボタンとについて同一のボタンを利用するとして説明したが、それぞれの機能について独立したボタンを用意するようにしてもよい。
【図面の簡単な説明】
【００２１】
【図１】本発明の実施形態の全体側面図
【図２】同上全体正面図
【図３】同上全体斜視図
【図４】ビニール製シートが展開されたときの底面図
【図５】同上側面図
【図６】ビニール製シートの四隅を立設して作製された皿
【図７】従来の犬等のペットのための携帯用水分与飲み器
【符号の説明】
【００２２】
１００  携帯用ペット飲食容器
１０１  ペットボトル
１０３  ビニール製シート
１０５、１０７、１０９、１１１  ボタン
１２０  皿
【図１】
2006158259.tif 000003
【図２】
2006158259.tif 000004
【図３】
2006158259.tif 000005
【図４】
2006158259.tif 000006
【図５】
2006158259.tif 000007
【図６】
2006158259.tif 000008
【図７】
2006158259.tif 000009